(57)【特許請求の範囲】
【請求項１】
長さが１５０ｃｍ〜７００ｃｍである長尺一体の上下の鋼製の横桟とその間の複数の鋼製の縦桟とで組立てられた枠体の両面に面材が貼られて一体になされているとともに、
前記横桟は長手方向に孔又は溝を有する長尺体で、前記縦桟は長手方向に通孔を有する長尺体であり、前記縦桟の前記通孔が前記横桟の前記孔又は前記溝に連通されていることを特徴とする壁パネル。
【請求項２】
横桟と縦桟とが矩形状に組立てられた枠体の表面に表面材が取付けられた壁パネルであって、
前記横桟は長手方向に貫通した孔又は溝を有する長尺体で、前記縦桟は長手方向に通孔を有する長尺体であり、前記縦桟の前記通孔が前記横桟の前記孔又は前記溝に連通されていることを特徴とする壁パネル。
【請求項３】
横桟と縦桟とが矩形状に組立てられた枠体の表面に表面材が取付けられた壁パネルであって、
前記横桟は鋼製の四角筒状、断面コ字形、断面Ｕ字形又は断面Ω形の長手方向に四角の孔又はコ字形、Ｕ字形、Ω形のいずれかの溝を有する長尺体で、前記縦桟は長手方向に通孔を有する長尺体であり、前記横桟が前記縦桟に横桟勝ちに組立てられるとともに、前記縦桟の前記通孔が前記横桟の前記孔又は前記溝に連通されていることを特徴とする壁パネル。
【請求項４】
前記縦桟は、鋼製の板材をほぼ四角筒状に折曲し、この板材の両側縁部を四角筒状の角部ではぜ状に前記横桟に連結した鋼製の四角筒状体であることを特徴とする請求項１乃至３のいずれか一項に記載の壁パネル。
【請求項５】
前記横桟が鋼製の四角筒状、断面コ字形、断面Ｕ字形又は断面Ω形の長尺体であり、当該横桟の一面がコ字形に切欠され、この切欠されたコ字状部がほぼ直角に折曲されて接続片が形成され、当該接続片が前記縦桟の前記通孔の中に挿入されて前記縦桟と前記横桟とが組立てられていることを特徴とする請求項１乃至３のいずれか一項に記載の壁パネル。
【請求項６】
前記横桟が鋼製の四角筒状、断面コ字形、断面Ｕ字形又は断面Ω形の長尺体であり、当該横桟の一面に通孔が設けられ、前記縦桟の相対する面が延設され、この延設された部分がほぼ直角に折曲されて接続片が形成され、この相対する前記接続片が前記横桟の前記通孔の周縁部の両側に取付けられて前記縦桟と前記横桟とが組立てられていることを特徴とする請求項１乃至３のいずれか一項に記載の壁パネル。
【請求項７】
壁部に請求項１〜請求項６のいずれかに記載の壁パネルが組み込まれていることを特徴とする建物。
【請求項８】
上記請求項１〜請求項６のいずれかに記載の壁パネルを工場で吊り上げ、上方開口の建物ユニットに組付けることを特徴とする壁パネルの取付方法。
【発明の詳細な説明】
【０００１】
【発明の属する技術分野】
この発明は、建物内の間仕切壁等に用いられる壁パネル、電線を配線するに好適な壁パネル、この壁パネルを組み込んだ建物及び壁パネルの取付方法に関する。
【０００２】
【従来の技術】
従来、建物内に間仕切壁を立設する場合、実公昭５６−２７２６号公報に記載されているように、９０ｃｍ幅程度の壁パネルをその幅方向に複数枚接合して間仕切壁を形成していた。なぜなら、間仕切壁の高さは２．４ｍ程あり広幅になると重くなり、人力では運搬が不可能であるからである。
【０００３】
又、従来、電気配線構造としては、特開平９−６５５５２号公報に記載されているように、天井裏に電気配線をしていて、壁にコンセント等を設ける場合には、天井裏から壁の中を通して電線を下ろしていた。この天井裏から壁の中を通して電線を下ろす構造としては、特開平７−３９３９号公報に記載されているように、壁の縦桟の中に溝を設け、この溝の中に電線を通することが知られている。
【０００４】
【発明が解決しようとする課題】
しかしながら、上記実公昭５６−２７２６号公報に記載の技術のように、９０ｃｍ幅程度の壁パネルをその幅方向に複数枚接合して間仕切壁を形成すると、接合部が多く、その接合部で若干の接合誤差が生じ、出来上がった間仕切壁に壁紙を貼った場合などは、その通り精度が悪く、接合部の誤差が凹凸として目立つなどの問題があった。又、上記のように複数枚の壁パネルを接合するのに施工工数がかかっていた。
【０００５】
又、特開平９−６５５５２号公報に記載の技術のように天井裏に電線を配線していると、電線を増設したり、電線の配線場所を変更する場合等に、天井裏に上がって施工する必要があるが、狭い天井裏で施工することは極めて不便である。
【０００６】
特に、建物ユニットを工場で製造し、この建物ユニットを建築施工現場に運搬し、建築施工現場で複数個の建物ユニットを上下左右に組立て据付けるユニット建物では、建物ユニットを運搬する関係で、道路交通法によって高さが制限され、しかも、天井高を高くして居住性を良くするために、この天井裏を極めて狭くしている。従って、建物ユニットを据付けた後では、この天井裏に配線することが困難であり、通常、工場で建物ユニットを製造する際に配線をしている。
【０００７】
かかる建物ユニットにおいては、電線を増設したり、電線の配線場所を変更するときには、既に建てられているユニット建物の狭い天井裏で電線を増設したり、電線の配線場所を変更することは極めて困難である。
【０００８】
そこで、この発明の目的は、壁としての通り精度がよく、施工が簡単で、電線を増設したり、電線の配線場所を変更することが簡単にできる壁パネルとこの壁パネルを間仕切壁等として組込んだ建物及び壁パネルの取付方法を提供することである。
【０００９】
【課題を解決するための手段】
本発明は上記目的を達成するためになしたものであって、請求項１記載の発明は、長さが１５０ｃｍ〜７００ｃｍである長尺一体の上下の鋼製の横桟とその間の複数の鋼製の縦桟とで組立てられた枠体の両面に面材が貼られて一体になされているとともに、前記横桟は長手方向に孔又は溝を有する長尺体で、前記縦桟は長手方向に通孔を有する長尺体であり、前記縦桟の前記通孔が前記横桟の前記孔又は前記溝に連通されていることを特徴とする壁パネルである。
【００１０】
本発明において上下の鋼製横桟の長さを１５０ｃｍ〜７００ｃｍにするのは、壁パネルの全体にわたり上記上下の鋼製横桟が存在するようにしてその通りをよくするためである。鋼製横桟が短すぎると壁パネルの幅も短くなって、複数の壁パネルを接合せざるを得ず、鋼製横桟が長すぎると運搬が大変である。この鋼製横桟が建物の基準モジュールの整数倍になっていると、建物のモジュールと整合し、効率的なものとなる。建物の基準モジュールとしては、１０ｃｍ、３０ｃｍ、３０．３ｃｍ、９０ｃｍ、９０．９ｃｍ、１００ｃｍなどがある。
【００１１】
請求項２記載の発明は、横桟と縦桟とが矩形状に組立てられた枠体の表面に表面材が取付けられた壁パネルであって、前記横桟は長手方向に貫通した孔又は溝を有する長尺体で、前記縦桟は長手方向に通孔を有する長尺体であり、前記縦桟の前記通孔が前記横桟の前記孔又は前記溝に連通されていることを特徴とする壁パネルである。
【００１２】
請求項３記載の発明は、横桟と縦桟とが矩形状に組立てられた枠体の表面に表面材が取付けられた壁パネルであって、前記横桟は鋼製の四角筒状、断面コ字形、断面Ｕ字形又は断面Ω形の長手方向に四角の孔又はコ字形、Ｕ字形、Ω形のいずれかの溝を有する長尺体で、前記縦桟は長手方向に通孔を有する長尺体であり、前記横桟が前記縦桟に横桟勝ちに組立てられるとともに、前記縦桟の前記通孔が前記横桟の前記孔又は前記溝に連通されていることを特徴とする壁パネルである。
【００１４】
請求項４記載の発明は、前記縦桟は、鋼製の板材をほぼ四角筒状に折曲し、この板材の両側縁部を四角筒状の角部ではぜ状に前記横桟に連結した鋼製の四角筒状体であることを特徴とする請求項１乃至３のいずれか一項に記載の壁パネルである。
【００１５】
請求項５記載の発明は、前記横桟が鋼製の四角筒状、断面コ字形、断面Ｕ字形又は断面Ω形の長尺体であり、当該横桟の一面がコ字形に切欠され、この切欠されたコ字状部がほぼ直角に折曲されて接続片が形成され、当該接続片が前記縦桟の前記通孔の中に挿入されて前記縦桟と前記横桟とが組立てられていることを特徴とする請求項１乃至３のいずれか一項に記載の壁パネルである。
【００１６】
請求項６記載の発明は、前記横桟が鋼製の四角筒状、断面コ字形、断面Ｕ字形又は断面Ω形の長尺体であり、当該横桟の一面に通孔が設けられ、前記縦桟の相対する面が延設され、この延設された部分がほぼ直角に折曲されて接続片が形成され、この相対する前記接続片が前記横桟の前記通孔の周縁部の両側に取付けられて前記縦桟と前記横桟とが組立てられていることを特徴とする請求項１乃至３のいずれか一項に記載の壁パネルである。
【００１７】
請求項７記載の発明は、壁部に請求項１〜請求項６のいずれかに記載の壁パネルが組み込まれていることを特徴とする建物である。
【００１８】
請求項８記載の発明は、上記請求項１〜請求項６のいずれかに記載の壁パネルを工場で吊り上げ、上方開口の建物ユニットに組付けることを特徴とする壁パネルの取付方法である。
【００１９】
本発明における壁パネルとは、外壁パネルでもよいし、この外壁パネルの内側に取り付けられる内壁パネルでもよいし、部屋を区切るために使用される間仕切壁パネルでもよい。
【００２０】
本発明において鋼製の横桟と鋼製の縦桟を用いるのは、壁パネルの精度を出すためである。鋼製の中には、鉄鋼の他、ステンレス鋼などの合金鋼も含まれる。ステンレス鋼にすると耐久性が向上する。鋼製の横桟及び縦桟に用いる鋼板の厚みとしては、０．８ｍｍ以上が好ましく、特に１．２〜３．２ｍｍのものが必要強度と精度が出て安価であり効率的である。また、上記厚みであれば、釘などから電気配線を防御することもできる。
【００２１】
本発明における面材（表面材）としては、壁パネルの面材になるものであり、石膏ボード、繊維強化石膏ボード、硬質木片セメント板、合板、パーチクルボードなどが用いられる。
【００２２】
【作用】
請求項１記載の発明の壁パネルは、長さが１５０ｃｍ〜７００ｃｍである長尺一体の上下の鋼製横桟とその間の複数の鋼製縦桟とで組立てられた枠体の両面に面材が貼られて一体になされたから、この壁パネルのみで幅の広い間仕切壁となり、施工が簡単であり、この壁パネルは上下の長尺一体の鋼製横桟のために通り精度がでて間仕切壁として通り精度のよいものとなる。
【００２３】
請求項２記載の発明の壁パネルは、横桟に一方から他方に貫通した孔又は溝が設けられているから、この壁パネルの複数個を密接に横方向に並べて立設させて壁とすると、壁パネルの横桟の孔又は溝から隣の壁パネルの横桟の孔又は溝に連通する。
従って、この横桟の孔又は溝の中を通して配線すると、天井裏まで上がらなくとも施工することができる。
このようになっているので、この壁パネルを間仕切壁にして取付けた建物では、狭い天井裏に上がらなくとも電線を増設したり、電線の配線場所を変更することが簡単にできる。
【００２４】
請求項３記載の発明の壁パネルは、横桟が鋼製の四角筒体、断面コ字形の長尺体、断面Ｕ字形の長尺体又は断面Ω形の長尺体であり、この横桟が縦桟に横桟勝ちに組立てられているから、横桟の鋼製の四角筒、断面コ字形の長尺体、断面Ｕ字形の長尺体、又は断面Ω形の長尺体の内部には孔又は溝が壁パネルの一方から他方に貫通している。
この壁パネルの複数個を密接に横方向に並べて立設させて壁とすると、壁パネルの横桟の孔又は溝から隣の壁パネルの横桟の孔又は溝に連通する。
【００２５】
従って、この横桟の通孔の中を通して配線すると、天井裏まで上がらなくとも施工することができる。
このようになっているので、この壁パネルを取付けた建物では、狭い天井裏に上がらなくとも電線を増設したり、電線の配線場所を変更することが簡単にできる。
【００２６】
本発明の壁パネルは、縦桟が長手方向に通孔を有する長尺体であり、この通孔が横桟の孔又は溝に連通しているものである。
この壁パネルを壁に沿って下方に配線したい場所、例えば、下方にコンセント等の設けたい場所に立設させ、横桟の孔又は溝の中を通っている電線を縦桟の通孔の中を通して下方に下ろし配線することができる。
【００２７】
請求請４記載の発明の壁パネルは、請求項１乃至３のいずれか一項に記載の発明に係り、前記縦桟が鋼製の板材をほぼ四角筒状に折曲し、この板材の両側縁部を四角筒状の角部ではぜ状に連結した鋼製の四角筒状体であるものである。
即ち、従来の手摺り、柵用の支柱、簡易柵支柱等に使用される支柱として使用される板をはぜ状に連結した四角筒状体としては、実公昭６１−２７３２号公報に記載あるように、鋼製の板材をほぼ四角筒状に折曲し、この板材の両側縁部を平面部ではぜ状に連結した鋼製の四角筒状体が知られている。この支柱は、鋼製の板材から簡単に支柱を作ることができるので極めて便利であるが、この支柱を壁パネルの縦桟に使用すると、板面で板材をはぜ状に連結しているためこの板面を表面にして壁パネルに組立てると、このはぜ状部分が突出し内壁材が密着しないし、横面にして壁パネルに組立てるとこのはぜ状部分が突出しているために隣の壁パネルとが密着しなくなる。
【００２８】
しかし、この請求項４記載の発明の壁パネルでは四角筒状の角部ではぜ状に連結しているためにこのはぜ部分が内壁材に密着するし、又、隣の壁パネルとも密着するので、壁パネルが美麗になるし、壁パネルを密着させて横方向に並べて立設させることができる。
【００２９】
請求項５記載の発明の壁パネルは、請求項１乃至３のいずれか一項に記載の発明に係り、横桟が鋼製の四角筒体、断面コ字形の長尺体、断面Ｕ字形の長尺体又は断面Ω形の長尺体であり、この横桟の一面がコ字形に切欠され、この切欠されたコ字状部がほぼ直角に折曲されて接続片が形成され、この接続片が縦桟の通孔の中に挿入されて縦桟と横桟とが組立てられているから、この接続片が縦桟の通孔の中から抜け難く、縦桟と横桟とが強固に組立てられる。しかも、このようにして組立てると、切欠されたコ字状部がほぼ直角に折曲されて形成された通孔が縦桟の通孔と連通するので、横桟の中に配線されている電線を横桟の孔又は溝から縦桟の通孔の中を通して下方に下ろし配線することができる。
【００３０】
請求項６記載の発明の壁パネルは、請求項１乃至３のいずれか一項に記載の発明に係り、横桟が鋼製の四角筒体、断面コ字形の長尺体、断面Ｕ字形の長尺体又は断面Ω形の長尺体であり、この横桟の一面に通孔が設けられ、前記縦桟の相対する面が延設され、この延設された部分がほぼ直角に折曲されて接続片が形成され、この相対する接続片が横桟の通孔の周縁部の両側に取付けられて縦桟と横桟とが組立てられているから、接続片を横桟の通孔の周縁部に強固に取付けることによって、この縦桟と横桟とが強固に組立てられる。しかも、相対する接続片を横桟の通孔の周縁部の両側に取り付けて組立てると、この接続片の間にある通孔が横桟の一面に設けられた通孔と連通するので、横桟の中に配線されている電線を横桟の孔又は溝から縦桟の通孔の中を通して下方に下ろし配線することができる。
【００３１】
請求項７記載の発明の建物は、壁部に請求項１〜請求項６のいずれかに記載の壁パネルが組込まれているから、この建物は請求項１〜請求項６の作用の項で記載したように、通り精度がよく施工が簡単な壁パネルや電線を配線するのに好適な壁パネルが組込まれた建物となる。
【００３２】
請求項８記載の発明の壁パネルの取付方法は、上記請求項１〜請求項６のいずれかに記載の壁パネルを工場で吊り上げ、上方開口の建物ユニットに組付けるから、工場で大型の吊り上げ機械が使用でき、人力で組付け施工する場合に比べて、壁パネルの組付け施工が簡単で精度のよいものになる。
【００３３】
【発明の実施の形態】
次に、本発明の実施例を示す。
（実施例１）
図１〜図９は本発明の一実施例を示すものである。図１（イ）は内壁パネル（間仕切壁パネル）の枠体の正面図、（ロ）は（イ）の側面図、（ハ）は（イ）のＡ部分の接続構造を示す説明図である。図２は内壁パネル（間仕切壁パネル）の縦断面を示す説明図、図３はユニット建物を示す説明図、図４は建物ユニットの骨格を示す斜視図、図５は建物ユニットの壁部分を垂直に切断した断面図、図６は外壁パネルを示す説明図である。図７は内壁パネルと隣の内壁パネルとが柱を挟んでほぼ直角に折曲した状態に連結されたコーナー部分の上部を示す説明図である。図８は内壁パネル（間仕切壁パネル）と間仕切壁パネルとの連結部分を示す説明図である。図９は内壁パネル（間仕切壁パネル）から間仕切壁パネルに電線を通している状態を示す説明図である。
【００３４】
図３において、１は２階建てのユニット建物である。このユニット建物１は、基礎９の上に１階の建物ユニット２が据付けられ、この１階の建物ユニット２の上に２階の建物ユニット２が据付けられ、最上階の建物ユニット２の上に屋根パネル３が取付けられたものである。
【００３５】
建物ユニット２の骨格は、図４に示すように、矩形の四隅に配置された４本の柱２１と、この４本の柱２１の下端部が矩形の辺に沿って連結された４本の床梁２２と、４本の柱２１の上端部が矩形の辺に沿って連結された４本の天井梁２３とからなる。建物ユニット２の大きさは、例えば長さが建物の基準モジュール３０．３ｃｍの１６倍である４８４．８ｃｍ、幅が建物の基準モジュール３０．３ｃｍの８倍である２４２．４ｃｍ、高さが建物の基準モジュール３０．３ｃｍの１０倍である３０３ｃｍになっている。
【００３６】
そして、相対する床梁２２に鉄筋で補強されたＡＬＣ板の床下地材２４が差し渡されて取付けられ、この床下地板２４の上にパーチクルボード長尺体のスペーサー２４１が取付けられ、このスペーサー２４１の上に木製の床根太２４２が取付けられ、この床根太２４２の上にパーチクルボードの床材２５が取付けられて床が形成されている。
【００３７】
壁を設ける場所には、図６に示すような外壁パネル４が取付けられる。外壁パネル４の上側連結杆４３が天井梁２３に取付けられ、外壁パネル４の下側連結杆４４が床梁２２に取付けられるのである。尚、外壁パネル４は、図６に示すように、縦側連結杆４２を挟んで鉄筋で補強されたＡＬＣ板４１が並べられ、この縦側連結杆４２の上端部が上側連結杆４３で、又、下端部が下側連結杆４４でそれぞれ連結されたものである。
【００３８】
そして、外壁と内壁を有する壁は、図５に示すように、この外壁パネル４の内側にガラスウールの断熱材４５を挟んで内壁パネル５が取付けられたものである。
【００３９】
内壁パネル５の枠体６は、図１に示すように、鋼製の上側横桟６１、鋼製の下側横桟６２との間に複数本の鋼製の縦桟６３、６３・・が組立てられたものである。内壁パネル５は、図２に示すように、この枠体６の両側面に石膏ボードの内壁材６４、６４が取付けられたものである。このように枠体６の両側面に内壁材６４、６４が取付けられると、バランスがよくなり、壁パネルの強度及び精度がよくなる。また、内壁材６４、６４の上端部、下端部が上側横桟６１、下側横桟６２で保護され、取り扱いが容易になる。
【００４０】
縦桟６３は、図１（ハ）に示すように、鋼製の薄板を四角筒状に折曲し、この薄板の両側縁部を四角筒状の角部６３１ではぜ状に連結した四角筒状体である。この縦桟６３の相対する面が延設され、この延設された部分がほぼ直角に折曲されて接続片６３２、６３２が形成されている。
上側横桟６１と下側横桟６２は、図１（ハ）に示すように、断面Ω形の鋼薄板製の長尺体（建物の基準モジュール３０．３ｃｍの８倍である２４２．４ｃｍ）であり、縦桟６３が取付けられる場所に縦桟６３の断面とほぼ等しい四角に切断された通孔６５が設けられている。
【００４１】
そして、この内壁パネル５の枠体６は、縦桟６３の接続片６３２が上側横桟６１と下側横桟６２の通孔６５の周縁部がかしめ接合等でに取付けられて横桟勝ちに組立てられたものである。従って、この内壁パネル５の上側横桟６１や下側横桟６２には断面Ω形の内部の溝６６が一方から他方に貫通しているし、この溝６６は通孔６５を経て縦桟６３の四角筒の中の通孔６９に連通している。
【００４２】
この建物ユニット２の中を２つの部屋に仕切る場合には、図８に示すように、内壁パネル５からほぼ直角方向に間仕切壁パネル７を立設して区切る。建物ユニット２に間仕切壁パネル７を立設するには、図４に示すように、建物ユニット２の床２５にレール７１を設けておき、建物ユニット２の横から間仕切壁パネル７を移動挿入装置（不図示）により、このレール７１に挿入して取付ける。
【００４３】
更に、この間仕切壁パネル７からほぼ直角方向に別の間仕切壁パネル７が立設されて多くの部屋に仕切ることもある。
この間仕切壁パネル７は、内壁パネル５とほぼ同じ構造をしているので、図１および図２に示す内壁パネル５の構造を参照しながら説明する。
【００４４】
上側横桟６１と下側横桟６２は、図１（ハ）に示すように、断面Ω形の鋼薄板製の長尺体（２４２．４ｃｍ）であり、縦桟６３が取付けられる場所に縦桟６３の断面とほぼ等しい四角に切断された通孔６５が設けられている。
縦桟６３は鋼製の薄板を四筒状に折曲し、この板材の両側縁部を四角筒状の角部６３１ではぜ状に連結した四角筒状体であり、この縦桟６３の相対する面が延設され、この延設された部分がほぼ直角に折曲されて接続片６３２、６３２が形成されている。
【００４５】
そして、枠体６は、縦桟６３の接続片６３２が上側横桟６１と下側横桟６２の通孔６５の周縁部に取付けられて横桟勝ちに組立てられたものである。間仕切壁パネル７は、図２に示すように、この枠体６の両側面に石膏ボードの内壁材６４、６４を取付け、強度及び精度の優れたものにしている。
【００４６】
このように内壁パネル５や間仕切壁パネル７では、縦桟６３が鋼製の板材をほぼ四角筒状に折曲し、この板材の両側縁部を四角筒状の角部６３１ではぜ状に連結した鋼製の四角筒状体であるから、このはぜ状に連結した部分が面に突出してない。従って、内壁材６４が縦桟６３や上側横桟６１や下側横桟６２に密着し、内壁パネル５や間仕切壁パネル７が美麗であるし、又、内壁パネル５や間仕切壁パネル７を横方向に並べて立設させたときに、内壁パネル５や間仕切壁パネル７同士を密着させて立設させることができる。
【００４７】
そして、内壁パネル５（又は間仕切壁パネル７）と間仕切壁パネル７との連結部では、図９に示すように、溝６６が一方から他方に連通されている。内壁パネル５（又は間仕切壁パネル７）の内壁材６４と横桟６１（又は６２）が矩形状に切欠された切欠部６１５が設けられていて、この切欠部６１５に間仕切壁パネル７が取付けられる。従って、上側横桟６１や下側横桟６２の溝６６が一方から他方に連通するのである。
【００４８】
又、図７に示すように、内壁パネル５と内壁パネル５とが柱２１を挟んでほぼ直角に取付けられている場所では、柱２１に通孔２１１が設けられていて、内壁パネル５の上側横桟６１や下側横桟６２の溝６６が一方から他方に連通する。
【００４９】
この建物ユニット２の中に電線８を配線する場合には、電線８を内壁パネル５や間仕切パネル７の上側横桟６１、下側横桟６２、縦桟６３の中を通して配線すればよい。
【００５０】
この電線８の配線構造について更に詳細に説明する。
外壁パネル４の内側に、複数個の内壁パネル５が横方向に並べられて立設されている。従って、上側横桟６１と下側横桟６２の溝６６が一方の内壁パネル５から隣の内壁パネル５に連通している。このような構造になっているので、図７に示すように、上側横桟６１の溝６６に電線８を配線し、柱２１のあるコーナー部では、柱２１の通孔２１１を通過させて配線することができる。
【００５１】
又、内壁パネル５（又は間仕切壁パネル７）にほぼ直角に取付けられた間仕切壁パネル７に配線する場合には、図９に示すように、内壁パネル５（又は間仕切壁パネル７）の上側横桟６１の溝６６の中に配線されている電線８を切欠部６１５を通して配線することができる。
【００５２】
内壁パネル５や間仕切パネル７の下方にコンセント等を設ける場合には、上側横桟６１の溝の中を通っている電線８を上側横桟６１の通孔６５を経て縦桟６３の通孔６９の中を通して下方に下ろし、縦桟６３の下から例えば２０ｃｍ、１２ｃｍのところに電線取出し孔を設け、その電線取出し孔から引出し内壁材６４に取付けているコンセントと接続すればよい。
【００５３】
次に、このユニット建物１の建築施工方法を説明する。
工場で、建物ユニット２や屋根パネル３等を製造する。
この際、建物ユニット２には、内壁パネル５や間仕切壁パネル７の上側横桟６１や縦桟６３の中に電線８を配線する。
このようにして製造した建物ユニット２や屋根パネル３等を建築施工現場に運搬する。
【００５４】
建築施工現場では、予め、設けられている基礎９の上に１階の建物ユニット２を据付け、この１階の建物ユニット２の上に２階の建物ユニット２を据付け、最上階の建物ユニット２の上に屋根パネル３を取り付ける。
その後、各建物ユニット２間の電線８を接続したりして、各種の仕上げを行うと、ユニット建物１が完成する。
【００５５】
このようにして完成したユニット建物１の中に配線した電線８を変更したり、増設する場合には、内壁パネル５や間仕切壁パネル７の上側横桟６１の溝６６から隣の内壁パネル５や間仕切壁パネル７の上側横桟６１の溝６６に連通しているので、この溝６６の中を通して電線を増設したり変更することができる。又、縦桟６３の中の通孔６９を通して下方に下ろして内壁材６４の下方に設けているコンセント等に接続することもできる。この際、内壁パネル５や間仕切壁パネル７は簡単に取外すことができるので、必要であれば、内壁パネル５や間仕切壁パネル７を取外して施工してもよい。
このようにすると、狭い天井裏まで上がらなくとも電線を増設したり、電線の配線場所を変更することが簡単にできる。
【００５６】
（実施例２）
図１０は本発明の他の実施例を示すもので、（イ）は内壁パネルや間仕切壁パネルの枠体を示す正面図、（ロ）は（イ）の側面図、（ハ）は（イ）のＢ部分の接続構造を示す説明図である。
【００５７】
この図１０に示す実施例２を図１〜図９に示す実施例１と比較すると、内壁パネルや間仕切壁パネルの枠体６ａの構造が異なる。
即ち、内壁パネルや間仕切壁パネルに使用される枠体６ａは上側横桟６１ａ、下側横桟６２ａおよび縦桟６３ａとからなる。そして、上側横桟６１ａや下側横桟６２ａは断面Ω形の長尺体（建物の基準モジュールの５倍である１５１．５ｃｍ）である。この上側横桟６１ａや下側横桟６２ａの一面がコ字形に切欠され、この切欠されたコ字状部がほぼ直角に折曲されて接続片６１１ａが形成される。縦桟６３ａは鋼製の薄板を四角筒状に折曲し、この薄板の両側縁部を四角筒状の角部６３１ａではぜ状に連結した四角筒状体である。
【００５８】
そして、枠体６ａは、この接続片６１１ａ、６１１ａが縦桟６３ａの通孔６９ａの中に挿入されてかしめ接合等で縦桟６３ａと上側横桟６１ａと下側横桟６２ａとが組立てられたものである。
【００５９】
枠体６ａはこのような構造になっているので、上側横桟６１ａや下側横桟６２ａの接続片６１１ａ、６１１ａが縦桟６３ａの通孔の中から抜け難く、縦桟６３ａと上側横桟６１ａや下側横桟６２ａとが強固に組立てられる。しかも、このようにして組立てると、切欠されたコ字状部がほぼ直角に折曲されて形成された通孔６５ａが縦桟６３ａの通孔６９ａと連通するので、上側横桟６１ａや下側横桟６２ａの溝６６ａ中に配線されている電線を通孔６５ａを経て縦桟６３ａの通孔６９ａの中を通して配線することができる。
【００６０】
（実施例３）
図１１は本発明の壁パネルの他の実施例を示す説明図であり、図１２はその壁パネルを上方開口の建物ユニットに組付ける状態の説明図である。
【００６１】
図１１の壁パネルは間仕切壁パネル７ｂになるものであり、枠体６ｂの両面に反応型アクリル系エマルジョン接着剤が塗布され、繊維強化石膏ボードからなる面材６４、６４が貼られて一体になっている。枠体６ｂは、上下に長尺一体の鋼製の上側横桟６１ｂ、下側横桟６２ｂが配され、その間に鋼製の縦桟６３ｂ、６３ｂ…が連結されて構成されている。上側横桟６１ｂ、下側横桟６２ｂとその間の縦桟６３ｂとは、実施例２と同様にして連結されている。反応型アクリル系エマルジョン接着剤は鋼製の枠体６ｂを利用して誘導加熱することにより極めて短時間に硬化接着できるものとなる。
【００６２】
上側横桟６１ｂと下側横桟６２ｂとは、それぞれ長さが建物の基準モジュール３０．３ｃｍの１６倍である４８４．８ｃｍであり、縦桟６３ｂは上記建物の基準モジュールである３０．３ｃｍ間隔で配置されている。この実施例では、上側横桟６１ｂと下側横桟６２ｂとに、縦桟６３ｂの連結部だけでなくその中間部にも通孔６５ｂ、６５ｂ…が設けられており、そこから電線８が配線されるようになっている。
【００６３】
この間仕切壁パネル７ｂは、予め電線８、８、８が配線され、枠体６ｂの両面に面材６４、６４が一体に貼られ、部品化されている。
【００６４】
この部品化された間仕切壁パネル７ｂを、上方開口の建物ユニット２ｂに組付けるには、図１２に示すように、壁パネル吊り装置７３を用いて工場内に設置されたクレーンで吊り上げて、予め設置しておいた固定ピース７２、７２…に組付け固定するのである。この時、固定ピース７２、７２…は間仕切壁パネル７ｂの下側横桟６２ｂの溝内に嵌合される。
【００６５】
建物ユニット２ｂの大きさは、長さが建物の基準モジュール３０．３ｃｍの１６倍である４８４．８ｃｍ、幅が建物の基準モジュール３０．３ｃｍの８倍である２４２．４ｃｍ、高さが建物の基準モジュール３０．３ｃｍの１０倍である３０３ｃｍになっている。この建物ユニット２ｂを２分するように、間仕切壁パネル７ｂが組付けられたら、倒れ止めのための支持材７４で間仕切壁パネル７ｂを横から支持する。このように、建物ユニット２ｂの基準モジュールと間仕切壁パネル７ｂの基準モジュールとが一致していると、寸法の整合性があり効率的である。
【００６６】
この間仕切壁パネル７ｂは、長さが４８４．８ｃｍである長尺一体の上下の鋼製の上側横桟６１ｂと下側横桟６２ｂとその間の１７の鋼製縦桟６３ｂとで組立てられた枠体６ｂの両面に面材６４、６４が貼られて一体になされているから、この間仕切壁パネル７ｂのみで一つの間仕切壁となり、施工が簡単であり、この間仕切壁壁パネル７ｂは上下の長尺一体の鋼製横桟のために通り精度が出て間仕切壁として通り精度のよいものとなっている。
【００６７】
この間仕切壁パネル７ｂの取付方法は、間仕切壁パネル７ｂを工場で吊り上げ、上方開口の建物ユニット２ｂに組付けるから、工場で大型の吊り上げ機械が使用でき、人力で組付け施工する場合に比べて、間仕切壁パネル７ｂの組付け施工が簡単で精度のよいものになる。
【００６８】
以上、この発明の実施例を図面を参照しながら説明したが、具体的な構成はこの実施例に限られるものでなく、この発明の要旨を逸脱しない範囲の設計の変更等があってもこの発明に含まれる。例えば、上述の実施例では本発明の壁パネルを１種類のユニット建物に適用した場合のみについて説明したが、別の種類のユニット建物に適用してもよいし、ユニット建物以外の建物に適用してもよい。
【００６９】
又、横桟が断面Ω形の長尺体であるが、この横桟は一方から他方に貫通した孔又は溝が設けられていればいかなるものでもよい。例えば、四角筒体でもよいし、断面コ字形の長尺体でもよいし、断面Ｕ字形の長尺体でもよい。又、縦桟が板材をほぼ四角筒状に折曲し、この板材の両側縁部を四角筒状の角部ではぜ状に連結した四角筒状体を使用したが、この縦桟としても長手方向に通孔を有する長尺体であればいかなるものでもよい。例えば、縦桟が板材をほぼ四角筒状に折曲し、この板材の両側縁部を溶接したものでもよいし、四角筒状に引き抜いたり押し出したものでもよい。
【００７０】
【発明の効果】
請求項１記載の発明の壁パネルは、長尺一体の上下の鋼製横桟とその間の複数の鋼製縦桟とで組立てられた枠体の両面に面材が貼られて一体になされているから、この壁パネルのみで間仕切壁となり、施工が簡単であり、上下の長尺一体の鋼製横桟のために通り精度がでて間仕切壁として通り精度のよいものとなる。
【００７１】
請求項２記載の発明の壁パネルは、横桟に一方から他方に貫通した孔又は溝が設けられているから、この壁パネルを立設させて壁とし、この壁パネルの横桟の孔又は溝の中を通して配線すれば、天井裏まで上がらなくとも施工することができる。この壁パネルを取付けた建物では、狭い天井裏に上がらなくとも電線を増設したり、電線の配線場所を変更することができ、改装が効率的にでき、便利である。
【００７２】
請求項３記載の発明の壁パネルは、横桟が鋼製の四角筒体、断面コ字形の長尺体、断面Ｕ字形の長尺体又は断面Ω形の長尺体であり、この横桟が縦桟に横桟勝ちに組立てられているから、横桟の長尺体の内部の孔又は溝が壁パネルの一方から他方に連通する。この壁パネルの横桟の孔又は溝の中を通して配線すれば、天井裏まで上がらなくとも施工することができ、施工工数を削減でき、安全性も増し、便利である。この壁パネルを取付けた建物では、狭い天井裏に上がらなくとも電線を増設したり、電線の配線場所を変更することができ、便利である。
【００７３】
本発明の壁パネルは、縦桟が長手方向に通孔を有する長尺体であり、この通孔が横桟の
孔又は溝に連通しているから、横桟の孔又は溝の中の電線を、横桟の孔又は溝に連通している縦桟の通孔の中を通して下方に下ろし配線することができる。
【００７４】
請求請４記載の発明の壁パネルは、請求項１乃至３のいずれか一項に記載の発明に係り、前記縦桟が鋼製の板材をほぼ四角筒状に折曲し、この板材の両側縁部を四角筒状の角部ではぜ状に連結した鋼製の四角筒状体であるものであるから、内壁材を密着させて取り付けることができ、美麗な壁パネルにすることができるし、又、隣の壁パネルと密着させて壁パネルを横方向に並べて立設させることができる。
【００７５】
請求項５記載の発明の壁パネルは、請求項１乃至３のいずれか一項に記載の発明に係り、横桟が鋼製の四角筒体、断面コ字形の長尺体、断面Ｕ字形の長尺体又は断面Ω形の長尺体であり、この横桟の一面がコ字形に切欠され、この切欠されたコ字状部がほぼ直角に折曲されて接続片が形成され、この接続片が縦桟の通孔の中に挿入されて縦桟と横桟とが組み立てられているから、縦桟と横桟とが強固に組み立てられるし、横桟の孔又は溝の中に配線されている電線を横桟の通孔を経て縦桟の通孔の中を通して下方に下ろし配線することができる。
【００７６】
請求項６記載の発明の壁パネルは、請求項１乃至３のいずれか一項に記載の発明に係り、横桟が鋼製の四角筒体、断面コ字形の長尺体、断面Ｕ字形の長尺体又は断面Ω形の長尺体であり、この横桟の一面に通孔が設けられ、前記縦桟の相対する面が延設され、この延設された部分がほぼ直角に折曲されて接続片が形成され、この相対する接続片が横桟の通孔の周縁部の両側に取り付けられて縦桟と横桟とが組み立てられているから、縦桟と横桟とが強固に組み立てられるし、横桟の孔又は溝の中に配線されている電線を横桟の通孔を経て縦桟の通孔の中を通して下方に下ろし配線することができる。
【００７７】
請求項７記載の発明の建物は、壁部に請求項１〜請求項６のいずれかに記載の壁パネルが組み込まれているから、この建物は請求項１〜請求項６の効果の項で記載したように、通り精度がよく施工が簡単な壁パネルや電線を配線するのに好適な壁パネルが組込まれた建物となる。
【００７８】
請求項８記載の発明の壁パネルの取付方法は、上記請求項１〜請求項６のいずれかに記載の壁パネルを工場で吊り上げ、上方開口の建物ユニットに組付けるから、工場で大型の吊り上げ機械が使用でき、人力で組付け施工する場合に比べて、壁パネルの組付け施工が簡単で精度のよいものにできる。
【図面の簡単な説明】
【図１】本発明の一実施例を示すもので、（イ）は内壁パネル（間仕切壁パネル）の枠体正面図、（ロ）は（イ）の側面図、（ハ）は（イ）のＡ部分の接続構造を示す説明図である。
【図２】内壁パネル（間仕切壁パネル）の縦断面を示す説明図である。
【図３】ユニット建物を示す説明図である。
【図４】建物ユニットの骨格を示す斜視図である。
【図５】建物ユニットの壁部分を垂直に切断した断面図である。
【図６】外壁パネルを示す説明図である。
【図７】内壁パネルと隣の内壁パネルとが柱を挟んでほぼ直角に折曲した状態に連結されたコーナー部分の上部を示す説明図である。
【図８】内壁パネル（間仕切壁パネル）と間仕切壁パネルとの連結部分を示す説明図である。
【図９】内壁パネル（間仕切壁パネル）から間仕切壁パネルに電線を通している状態を示す説明図である。
【図１０】本発明の他の実施例を示すもので、（イ）は内壁パネルや間仕切壁パネルの枠体を示す正面図、（ロ）は（イ）の側面図、（ハ）は（イ）のＢ部分の接続構造を示す説明図である。
【図１１】本発明の壁パネルの他の実施例を示す説明図である。
【図１２】壁パネルを上方開口の建物ユニットに組付ける状態の説明図である。
【符号の説明】
１              ユニット建物
２、２ｂ        建物ユニット
３              屋根パネル
４              外壁パネル
５              内壁パネル
６、６ａ、６ｂ  枠体
６１、６１ａ、６１ｂ  上側横桟
６１１ａ        接続片
６２、６２ａ、６２ｂ  下側横桟
６３、６３ａ、６３ｂ  縦桟
６４            表面材（内壁材、面材）
６３２          接続片
６５ａ、６５ｂ  通孔
６６、６６ａ    溝
６９、６９ａ    通孔
７、７ｂ        間仕切り壁パネル
８              電線
【図１】
0004037567.tif 000002
【図２】
0004037567.tif 000003
【図３】
0004037567.tif 000004
【図４】
0004037567.tif 000005
【図５】
0004037567.tif 000006
【図６】
0004037567.tif 000007
【図７】
0004037567.tif 000008
【図８】
0004037567.tif 000009
【図９】
0004037567.tif 000010
【図１０】
0004037567.tif 000011
【図１１】
0004037567.tif 000012
【図１２】
0004037567.tif 000013